(57)【要約】【課題】  開閉式のガラス窓にも嵌め殺しのガラス窓にも玄関扉等にもというように如何なる対象にも取り付けることができて、これらを連結配線により一つの機器本体に集約しての集中管理ができ、且つ既設の開閉センサー設備と併用できる破壊振動センサーを実現しようとするものである。  これらを併用することにより両方の機能が発揮され破壊侵入にも開放侵入にも対応できる防犯態勢が実現される。【解決手段】  容器１に破壊振動共振装置２を設けてなる可動用部品図１と、容器４に破壊振動センサー５及び配線用の端子６、６を設けてなる固定用部品図２とを一対として構成する破壊振動センサー。【選択図】  図１
2006185401.tif 000002
【特許請求の範囲】
【請求項１】
容器１に破壊振動共振装置２を設けてなる可動用部品図１と、容器４に破壊振動センサー５及び配線用の端子６、６を設けてなる固定用部品図２とを一対として構成する破壊振動センサー。
【発明の詳細な説明】
【技術分野】
【０００１】  本発明は、窓ガラスや玄関扉等の破壊に伴う振動を感知するところの破壊振動センサーに関するものである。
【背景技術】
【０００２】  従来の、開閉式のガラス窓等に使用する破壊振動センサーは、この機器本体が振動感知器を兼ねるため、直接窓ガラス等の可動部分に機器本体を取り付ける必要があることから当然ながら電源供給のための配線が困難なため電池式の一カ所対応型となっており、複数箇所を連結配線しての集中管理は出来なかった。
また、連結配線による集中管理が可能な破壊振動センサーはあっても、それは嵌め殺しの開かないガラス窓専用のものであるため、開閉式の窓等には使用出来なかった。
【発明の開示】
【発明が解決しようとする課題】
【０００３】  従来の、開閉式ガラス窓等の破壊振動センサーは、機器本体が破壊振動センサーを兼ねることから、これを直接ガラス窓等の可動部分に取り付ける必要があり、当然ながら電源供給のための配線が困難なため一カ所対応型の電池式とならざるを得ず、部品の連結配線も出来ないため一つの機器本体に集約しての集中管理を行うことは出来なかった。
また、電池式の機器本体を家中の各窓等に使用するとなるとその数は膨大なものとなり電池交換など管理の面でも大変であり使用実態にそぐわなかった。
また、連結配線可能な破壊センサーがあってもそれは嵌め殺しの開かないガラス窓専用のものであり開閉式の窓等には使用出来なかった。
そこで、開閉式のガラス窓等にも嵌め殺しのガラス窓や玄関扉等如何なる対象にも取り付け連結配線ができ一つの機器本体に集約しての集中管理が容易な破壊振動センサーで、しかも既設の磁力線感応式開閉センサー設備にも後付けで併用でき、これにより両機構の不足分野を相互に補完し合い破壊侵入にも開放侵入にも対応しようとするものである。
【課題を解決するための手段】
【０００４】  本発明による破壊振動センサーは、ガラス窓等の破壊対象部分に取り付ける可動用部品図１及びこれらガラス窓等を保持する壁固定の外枠などの固定部分に取り付ける固定用部品図２からなり、窓ガラス等の破壊に伴う破壊振動エネルギーを電気的エネルギーに変換してこれを破壊振動信号として取り出すものである。
即ち、開閉式のガラス窓等に取り付ける可動用部品図１としては、容器１に破壊振動共振装置２を設けたものであり、この破壊振動共振装置２とは、磁力線に干渉する金属製のコイルバネを適当に引き延ばして容器から浮かした状態で両端を留め具３、３で固定した破壊振動共振体である。
ガラス窓等の外枠に取り付ける固定用部品図２としては、容器４に破壊振動センサー５及び配線用の端子６、６を設けたものであり、この破壊振動センサー５とは、磁石７に電導コイル８を巻き付け、これで破壊振動共振装置２の振動に伴う破壊振動信号を取り出すものである。
これら部品の取付使用方法は、開閉窓等の可動部分に取り付ける可動用部品図１ならびに開閉窓等を保持する壁固定の外枠などの固定部分に取り付ける固定用部品図２を一対として使用するものであり、この際破壊振動共振装置２と破壊振動センサー５はそれぞれ可能な限り近接するように取り付ける。複数の場合はこれら破壊振動センサー５の端子６、６を連結配線して集中管理用の機器本体に集約するものである。
このような状態において、窓ガラス等が破壊された場合には、本発明の破壊振動センサー機構が作動し、この破壊行動に伴う破壊振動エネルギーが可動用部品図１に示す破壊振動共振装置２の破壊振動共振体を振るわせながら磁石７からの放射磁力線に干渉し、破壊振動センサー５に電気的エネルギーが生じることから窓ガラス等の破壊行動が振動信号として検出される。
なお、この振動信号の処理について必要がある場合は、実施例に記載のように、電導コイル８に半導体ダイオード等の電子部品や回路を組み込んで配線用端子６、６に接続し、さらに電源が必要であれば電源供給用の接続端子を別に増設して対応することができる。
また、実施例に記載のように、本発明の機構に既存の磁力線感応式開閉スイッチ機構の部品を組み込むことにより、破壊侵入にも開放侵入にも対応することが出来る。
本発明は、開閉式のガラス窓等のほか、嵌め殺しのガラス窓や玄関扉等にも対応することができ、固定用部品図２の連結配線も可能となったことから一個の機器本体に集約しての集中管理が可能となった。
【発明の効果】
【０００５】  本発明による破壊振動センサーは、固定用部品図２の連結配線も可能となったことから一個の機器本体に集約しての集中管理を行うことが可能となり、その対象は開閉式窓のほか嵌め殺しの窓や玄関扉等にも使用範囲が拡大され、さらに電池の交換等の煩わしい問題もなくなった。
また、既にガラス窓等に磁力線感応式開閉センサー機構が設置されている場合は、これに併設あるいはこの開閉センサー機構の部品を本発明機構の部品に取り込むことにより、ガラス窓等の開放侵入や破壊侵入にも対応することができ、万全の防犯態勢が実現する。即ち、ガラス窓等が開放された場合には開閉スイッチ機構が作動し、窓ガラス等が破壊された場合には本発明の機構により破壊振動信号が検出される。
これらのことから、従来の幾つかの問題点、即ち、従来の機器本体は破壊センサーを兼ねるものであるためこれを直接ガラス窓等の可動部分に取り付けることから、当然ながら電源供給用の配線が困難なため一カ所対応型の電池式となり、これら部品の連結配線も出来ないため一つの機器本体に集約しての集中管理を行うことは出来ず、この電池交換などの管理面でも大変なことから使用実態にそぐわなかった。
また、従来の連結配線可能な破壊振動センサーは嵌め殺しガラス窓専用のものであり、開閉式の窓等に対応するものではなかった。
等等の問題はすべて解決されるほか、既にガラス窓等に開閉式センサーが設置されている場合は、これに本発明の機構を併設併用することにより、防犯態勢は盤石となる。
【発明を実施するための最良の形態】
【０００６】  本発明の破壊振動センサーは、従来の磁力線感応式開閉スイッチの機構と併設併用することにより、ガラス窓等の破壊と解放の二つの異常を感知する機構を兼備するものとなり従来の磁力線感応式開閉スイッチの機構と同様に、固定用部品図２を連結配線して一個の機器本体に集約し、これを警報回路にリンクして集中管理を行うことも出来る。
部品としては、開閉式の窓や嵌め殺しの窓等の破壊対象部分に取り付ける可動用部品図１ならびに開閉窓等を保持する壁固定の外枠などの固定部分に取り付ける固定用部品図２を一対として使用するものである。
これら部品の取付使用方法は、上記二種類の部品を可能な限り近接して取り付けることにより最大の効果を発揮するものであるが、
これを既設の磁力線感応式開閉スイッチの機構と併設併用する場合は、それぞれの機構が磁力干渉しないよう当該部品の間隔を少し離して取り付けることが必要となる。
このような併設併用状態においては、まず、窓ガラス等が破壊された場合には本発明の破壊振動センサー機構が作動し、この破壊行動に伴う破壊振動エネルギーが、破壊振動共振装置２の破壊振動共振体を振るわせて磁石７からの放射磁力線に干渉し、破壊振動センサー５に電気的エネルギーが生じることから窓ガラス等の破壊行動が破壊振動信号として検出される。また、ガラス窓等が開放された場合には既設の磁力線感応式開閉スイッチが作動する。
【実施例１】
【０００７】  本発明の破壊振動センサーを既設の磁力線感応式開閉スイッチの機構と併設併用する場合は、それぞれの機構が磁力干渉しないよう当該部品の間隔を少し離して取り付けることが必要となるが、合理的な方法として、可動用部品図１の容器１についてはさらに細長くしてこの中に両機構の可動用部品を集約する即ち、本発明の振動共振装置２及び既存の磁力線感応式開閉スイッチ機構の磁石を相互干渉しない間隔を保って取り付ける。固定用部品図２の容器４についてもおなじく細長くしてこの中に両機構の固定用部品を集約する即ち、本発明の破壊振動センサー５及び既存の磁力線感応式開閉スイッチ機構の同スイッチを相互干渉しない間隔を保って取り付けることにより、破壊侵入にも開放侵入にも対応出来るようになる。
【実施例２】
【０００８】  信号処理に必要があれば破壊振動センサー５に半導体ダイオード等の電子部品や回路を組み込んだり、さらに電源が必要であれば電源供給用の接続端子を別に増設してもよい。
【実施例３】
【０００９】  破壊振動共振体を磁力線に干渉する金属製又は磁力線に干渉しないプラスチック等の板バネ又は棒バネに取り付けてもよい。
【実施例４】
【００１０】  破壊振動共振体として磁力線に干渉する金属製の板バネ又は棒バネそのものを取り付けてもよい。
【実施例５】
【００１１】  これら破壊振動共振体を複数個設けてもよい。
【産業上の利用可能性】
【００１２】  本発明を、従来の開閉センサー機構と併設併用したり、実施例１に示すようにこれら両機構の部品を集約するなどの合理的な方法を採ることにより、ガラス窓等の開放侵入はもちろんのこと、最近巷で多発している窓ガラスの焼き破りや玄関扉に穴を空けてのサムターン回し等の破壊侵入などに対する防犯対策に幅広く利用される。
【図面の簡単な説明】
【００１３】
【図１】  可動用部品の内容を示す正面図
【図２】  固定用部品の内容を示す正面図
【図３】  固定用部品図２の右側を示し、容器４に蓋９をした右側面図である。
【図４】  可動用部品図１ならびに固定用部品図２の左側を示すもので、これらの容器１、４に蓋９をした左側面図である。なお、可動用部品図１の右側面図については図４と対象であるため省略する。
【符号の説明】
【００１４】１：可動用部品の容器
２：振動共振装置
３：留め具
４：固定用部品の容器
５：破壊振動センサー
６：破壊振動センサー５の配線用端子
７：磁石
８：電導コイル
９：容器１、容器４の蓋
【図１】
2006185401.tif 000003
【図２】
2006185401.tif 000004
【図３】
2006185401.tif 000005
【図４】
2006185401.tif 000006